(57)【要約】【課題】車両の後退時において、運転者が必要である場合のみディスプレイが運転席側に回転する後席映像表示装置を得ることを目的とする。【解決手段】車両の後退を検出した場合において、撮像部が撮像した運転者の映像に基づき、顔方向判定部が運転者の顔の向きが車両後方に向いていると判定すると、駆動部がディスプレイの表示面を前席側に回転し、後方撮像部により撮像した映像を表示する。【選択図】図１
2010143328.tif 000002
【特許請求の範囲】
【請求項１】
車両の後方の映像を撮像する後方撮像部と、
前記車両の前後席中間位置に設けられ、表示面が前席側及び後席側へ向くように回転可能に支持されたディスプレイと、
前記ディスプレイの表示面が前席側に向いた場合に前記後方撮像部からの映像を表示させる映像切替部と、
前記車両の後退を検出する後退検出部と、
運転者を撮像する運転者撮像部からの映像に基づいて運転者の顔の向きを判定する顔方向判定部と、
前記後退検出部が前記車両の後退を検出し、かつ、前記顔方向判定部が運転者が前記車両後方を向いたと判定した場合に、前記ディスプレイの表示面を前席側に回転させる制御駆動部と、
を備えた後席映像表示装置。
【請求項２】
顔方向判定部は、運転者が車両後方を向いた状態が所定時間継続した場合に車両後方を向いたと判定することを特徴とする請求項１記載の後席映像表示装置。
【請求項３】
運転席を含む車両前方を撮像する位置に撮像部を設けたことを特徴とする請求項１又は請求項２記載の後席映像表示装置。
【請求項４】
撮像部からの映像を記憶する記憶部と、
車両の加速度を測定し、この加速度が所定値を超えた場合に衝突したと判定する衝突判定部とを備え、
前記衝突判定部により衝突したと判定されると、前記記憶部への記憶を停止させ該記憶部に記憶された映像を保持することを特徴とする請求項３記載の後席映像表示装置。
【発明の詳細な説明】
【技術分野】
【０００１】
この発明は、車両の前後席中間の車室内中央位置に設けられた後席映像表示（Rear-Seat Entertainment）装置に関するものである。
【背景技術】
【０００２】
後席映像表示装置は、後席者がＤＶＤやＴＶなどの映像を視聴するためのもので、例えば、天井吊下型の後席映像表示装置は、車室内の天井ほぼ中央に設けられ、ディスプレイが後席者の方向に向いて吊下げられており、後席者が視聴し易いように構成されている。
一方、運転者は、車両の後退を行う際、車室内前方のディスプレイに映し出されたバックカメラからの映像を確認しつつ、目視確認で後方を向くという動作を繰り返すため煩雑であるという問題があった。
そこで、例えば、特許文献１及び特許文献２には、車両の後退を検出する車両後退検出手段により車両の後退が検出されると、後席映像表示装置のディスプレイが運転席側に回転してバックカメラの映像を表示する構成が開示されている。
【０００３】
【特許文献１】特開平１１−１２９８１５号公報
【特許文献２】特開２００６−１３０９５７号公報
【発明の開示】
【発明が解決しようとする課題】
【０００４】
従来の後席映像表示装置は、以上のように構成されているので、車両の後退時に、運転者がルームミラー、サイドミラー、前席表示装置等を見ており、顔を前方に向けていても、ディスプレイが運転席側へ回転するため、運転者が必要でない場合でも後席者が視聴を妨げられるという課題があった。
【０００５】
この発明は上記のような課題を解決するためになされたもので、車両の後退時において、運転者が必要である場合のみディスプレイが運転席側に回転する後席映像表示装置を得ることを目的とする。
【課題を解決するための手段】
【０００６】
この発明に係る後席映像表示装置は、車両の後方の映像を撮像する後方撮像部と、車両の前後席中間位置に設けられ、表示面が前席側及び後席側へ向くように回転可能に支持されたディスプレイと、このディスプレイの表示面が前席側に向いた場合に後方撮像部からの映像を表示させる映像切替部と、車両の後退を検出する後退検出部と、運転者を撮像する運転者撮像部からの映像に基づいて運転者の顔の向きを判定する顔方向判定部と、後退検出部が車両の後退を検出し、かつ、顔方向判定部が運転者が車両後方を向いたと判定した場合に、ディスプレイの表示面を前席側に回転させる制御駆動部とを備えたものである。
【発明の効果】
【０００７】
この発明の後席映像表示装置は、車両の後退を検出し、かつ、運転者の顔の向きが車両後方に向いている場合に、ディスプレイの表示面が前席側に回転するように構成したことにより、車両後退時において運転者が必要な場合のみディスプレイ部を運転者側に向けることができ、後席者が視聴を妨げられることが抑制される。
【発明を実施するための最良の形態】
【０００８】
以下、この発明の実施の形態を、図面を参照しながら詳細に説明する。
実施の形態１． 
図１は、後席映像表示装置の構成を示すブロック図であり、図２は、後席映像表示装置の制御部の構成の一部を示すブロック図である。
【０００９】
後席映像表示装置は、図１に示すように、大きく分けて本体部１、ディスプレイ２、駆動部（制御駆動部）３、本体部１に映像を入力するＤＶＤプレーヤー、ＴＶチューナー等の図示しない映像機器及び後方撮像部９、車両の後退を検出する車両後退検出部１０から構成されている。
【００１０】
本体部１は、前席と後席の中間の車両内天井のほぼ中央部に設けられ、この本体部１と駆動部３を介して接続されるディスプレイ２は、その表示面方向Ａが前席側及び後席側へ向くように回転可能に支持されており、本体部１から送信される映像を表示する。
【００１１】
駆動部３は、駆動手段としてのモータなどからなり、本体部１とディスプレイ２とを接続し、ディスプレイ２の表示面方向Ａを前席側及び後席側へ回動可能に支持するとともに、不使用時はディスプレイ２を本体部１の図示しない収納部に収納可能に支持している。
【００１２】
後方撮像部９は、例えば、車両後方の死角を撮像するカメラであり、車両後退検出部１０は、例えば運転者２００が車両のギアをバックに操作したことなどを検知して車両が後退することを検出するものである。
【００１３】
本体部１は、前席と後席の中間の車両内天井のほぼ中央部に取り付けられた筺体内に、映像を撮像する撮像部１１、撮像部１１からの映像信号を演算処理する制御部１２、複数の入力映像から少なくとも１つの映像を出力する映像切替部１４などを設けて構成されている。
【００１４】
撮像部１１は、本体部１の筺体の前席方向に埋め込まれて取り付けられており、運転者２００の頭部を撮像する内蔵カメラである。ただし、この撮像部１１を取り付ける位置は、本体部１の前方に限るものではなく、例えば、ステアリング近傍や車両内前方上部に設けられるルームミラーの近傍など、運転者２００の頭部を撮像可能な位置に設ける構成であればよい。
【００１５】
制御部１２は、図示しない操作部からの指示および各部から送信される信号に基づいて演算処理等を行い、後席映像表示装置の各部へ動作を指示する信号を送り、各部の制御を行うものである。制御部１２には、演算部１２１、メモリ１２２、顔方向判定部１２３が設けられており、演算部１２１がメモリ１２２とともに撮像部１１からの映像信号を演算処理して既知の技術で顔認識処理を行い、顔方向判定部１２３が運転者２００の顔が車両後方を向いているかを判定する。また制御部１２には、ディスプレイ方向判定部１２５が設けられており、ディスプレイ２や駆動部３に設けた図示しないセンサ等によりディスプレイ２の表示面方向Ａを検出して判定する。
【００１６】
映像切替部１４は、複数の映像機器から入力された映像信号のうち少なくとも１つの映像を出力するように切り替えるものであり、通常はＤＶＤ映像、ＴＶ映像を出力しているが、ディスプレイ方向判定部１２５がディスプレイ２が運転席方向を向いたと判定すると、複数の映像機器から入力された映像信号のうち後方撮像部９からの映像を出力するように切り替える。
【００１７】
ディスプレイ２は、映像処理部２７、表示部２８からなり、映像処理部２７が映像信号を表示部２８が表示可能な信号に変換し、ＬＣＤ（Liquid Crystal Display）等からなる表示部２８が映像を表示する。
【００１８】
次に、実施の形態１の後席映像表示装置の動作を図３、図４を用いて説明する。
図３は、この発明の後席映像表示装置の動作を示すフローチャートである、図４は、この発明の後席映像表示装置を設置した車両の運転手の顔方向とディスプレイ部の方向の関係を示す概略図であり、図４（ａ）は運転者２００が車両正面方向を向いている場合、図４（ｂ）は運転者２００が車両後席方向に向いている場合である。
【００１９】
図４（ａ）に示すように、通常は撮像部１１により運転者２００の頭部を含む映像を撮像し制御部１２へ送信しており（ステップＳＴ１）、車両後退検出部１０が車両の後退を検出したことを制御部１２へ送信する（ステップＳＴ２）と、制御部１２の顔方向判定部１２３は、撮像部１１からの映像に基づいて運転者２００の顔の向きを認識（ステップＳＴ３）し、運転者２００の顔が後席方向を向いているかを判定する（ステップＳＴ４）。
【００２０】
ステップＳＴ４において、顔方向判定部１２３が、運転者２００の顔が後席方向を向いている（ＹＥＳ）と判定した場合、続いて、ディスプレイ方向判定部１２５が、ディスプレイ２の表示面方向Ａの向きが運転席方向であるかを判定する（ステップＳＴ５）。
【００２１】
ステップＳＴ５において、ディスプレイ２が運転席方向に向いている（ＹＥＳ）と判定した場合、ステップＳＴ７へ進む。
ステップＳＴ５において、ディスプレイ２が運転席方向に向いていない（ＮＯ）と判定した場合、駆動部３は顔方向判定部１２３からの判定信号に基づいてディスプレイ２をその表示面方向Ａが運転席方向に向くように所定角度回転させる（ステップＳＴ６）。
【００２２】
次に、映像切替部１４が、出力を切り替えて後方撮像部９の映像信号を映像処理部２７を介して表示部２８へ送る。運転席方向を向いたディスプレイ２の表示部２８は、後方撮像部９からの映像を表示し（ステップＳＴ７）、ステップＳＴ１に戻る。
【００２３】
上記ステップＳＴ３において、顔方向判定部１２３が運転者２００の顔が後席方向を向いていない（ＮＯ）と判定した場合、ステップＳＴ５と同様にディスプレイ方向判定部１２５によりディスプレイ２の向きが運転席方向に向いているかを判定する（ステップＳＴ８）。
【００２４】
ステップＳＴ８において、ディスプレイ２の向きが運転席方向に向いている（ＹＥＳ）と判定した場合、駆動部３によりディスプレイ２を運転席方向に回転させる（ステップＳＴ９）。
また、ステップＳＴ８において、ディスプレイ２の向きが運転席方向に向いていない（ＮＯ）と判定した場合、ステップＳＴ１０へ進む。
【００２５】
次に、映像切替部１４が、出力を切り替えてＤＶＤプレーヤー又はＴＶチューナーからの映像信号を映像処理部２７へ送り、映像処理部２７により表示部２８が表示可能な信号に変換して表示部２８へ送る。後席方向に向いたディスプレイ２の表示部２８は、ＤＶＤプレーヤー又はＴＶチューナーからの映像を表示し（ステップＳＴ１０）、ステップＳＴ１に戻る。
【００２６】
このように実施の形態１の後席映像表示装置によれば、車両後退検出部１０が車両後退を検出し、かつ、顔方向判定部１２３が運転者が後方を向いていることを判定した場合に、駆動部３によりディスプレイ２の表示面方向Ａを前席の運転席方向に回転させ、映像切替部１４により後方撮像部９からの車両後方の映像に切り替えるように構成したので、運転者に必要ない場合にディスプレイ２が運転席方向に回転するのを抑制することができる。
【００２７】
なお、実施の形態１の後席映像表示装置は、本体部１が車両内天井のほぼ中央部に設けられている構成について説明したが、この構成に限定するものではなく、例えばセンターコンソールの後席側など、車両の前後席の中間位置で運転席から後方を向いた場合に見える位置に設ければよい。
【００２８】
また、制御部１２が撮像部１１の映像に基づいて顔認識を行い、運転者２００の顔の向いている方向を判定する構成について説明したが、顔認識の方法は、撮像部１１の設置位置によって撮像可能な運転者２００の頭部の映像に基づいて、顔の部分の形状、色等を認識し、顔の向きを判定できる方法であればよい。
【００２９】
また、制御部１２は、撮像部１１の映像に基づき運転者２００の目を認識し、運転者２００の視線の方向を判定して、ディスプレイ２を運転者２００方向に所定角度回転させ、後方撮像部９からの映像を表示するように構成することで、運転者２００が車両後方を斜めに見ている場合にも、運転者２００方向に後方撮像部９の映像を表示することができる。
【００３０】
また、ステップＳＴ４において、遅延回路等を用いて、運転者２００の顔が後席方向を向いている状態が所定時間以上、例えば数秒間継続していることを判定するようにすれば、一瞬だけ後席者を見た場合にはディスプレイ２が前席方向には回転せず、より運転者が必要な場合のみディスプレイ２を運転者方向に向けることができる。
【００３１】
また、駆動部３は、ディスプレイ２が運転席方向を向くように所定角度が予め設定されているが、運転者２００が図示しない操作部等によって、車両内前席方向の見易い位置まで回転するように調整して設定できるように構成してもよい。
【００３２】
実施の形態２．
実施の形態１による後席映像表示装置は、撮像部１１が撮像した運転者２００の映像を顔方向の判定に用いる構成について説明したが、実施の形態２の後席映像表示装置は、運転席を含む車両前方を撮像する位置に撮像部１１を設けて、この撮像部１１により車両の衝突時までに撮像した車両前方を含む映像を記憶、保持するドライブレコーダ機能を内蔵した構成にしたものである。
【００３３】
本発明の実施の形態２の構成について図５から図７を用いて説明する。
図５は、実施の形態２による後席映像表示装置の構成を示すブロック図である。また、図６は、実施の形態２による後席映像表示装置の動作を示すフローチャートであり、図７は、実施の形態２による後席映像表示装置の撮像部の撮像方向を示す概略図である。
なお、実施の形態１による後席映像表示装置と同じ構成については同一の符号を付し、その詳細な説明は省略する。
【００３４】
実施の形態１の撮像部１１は、運転者２００の頭部を撮像可能な位置に設けたが、実施の形態２の撮像部１１は、図７に示すように運転者２００の頭部を含む車両前方の範囲Ｗを撮像可能な位置に取り付けている。
【００３５】
また、図４に示すように、この後席映像表示装置には、実施の形態１の後席映像表示装置の構成に加え、記憶部３０、加速度センサ部５０を設けている。
【００３６】
記憶部３０は、車両運転中に撮像部１１で撮像された映像を記録し、映像を保持し、この保存された映像を制御部１２からの指示に従って出力する。
【００３７】
衝突判定部としての加速度センサ部５０は、走行中に車両の加速度を測定しており、車両の加速度が所定値を超えるとその車両が衝突したと判定し、制御部１２へ衝突したことを示す信号を送信する。
【００３８】
次に、実施の形態２の後席映像表示装置の動作について説明する。
撮像部１１が運転者の頭部を含む車両前方を撮像し（ステップＳＴ１１）、制御部１２へ映像を送る。制御部１２は、この映像に基づいて実施の形態１のステップＳＴ２からステップＳＴ１０の動作を行うとともに、映像を記憶部３０へ送り、記憶部３０が撮像部１１で撮像された映像を記憶する（ステップＳＴ１２）。
【００３９】
加速度センサ部５０が車両の加速度に基づいて車両が衝突したか否かを判定し（ステップＳＴ１３）、車両が衝突していないと判定されていれば、ステップＳＴ１１に戻り、撮像部１１による撮像映像を記憶部３０への記録を続ける。
【００４０】
ステップＳＴ１３において、車両が衝突したと判定した場合、加速度センサ部５０から制御部１２に衝突したことを示す信号が送信される。この信号に基づいて、制御部１２が記憶部３０へ映像記録の停止を指示すると、記憶部３０が映像記録を停止し、映像を保存する（ステップＳＴ１４）。
【００４１】
記憶部３０は、図示しない操作部等からの再生指示（ステップＳＴ１５）に従って、保存された映像を出力すると、映像切替部１４及び映像処理部２７を経てディスプレイ２の表示部２８に映像を表示する（ステップＳＴ１６）。
【００４２】
このように実施の形態２の後席映像表示装置によれば、実施の形態１の構成に加え、運転者２００の頭部を含む車両前方の映像を撮像する位置に撮像部１１を設け、加速度センサ部５０が所定の値を超えた加速度を測定した場合に記憶部３０への記憶を停止し、その時点までの映像を保持するように構成したので、衝突後に衝突時直前の運転者２００及び車両前方の映像を確認することができる。
【００４３】
なお、記憶部３０に保存された映像をディスプレイ２の表示部２８に表示する構成について説明したが、これに限るものではなく、外部の表示装置と接続して表示できるようにすることで同様の効果を得られる。
【図面の簡単な説明】
【００４４】
【図１】この発明の実施の形態１による後席映像表示装置の構成を示すブロック図である。
【図２】この発明の実施の形態１による後席映像表示装置の制御部の一部を示すブロック図である。
【図３】この発明の実施の形態１による後席映像表示装置の動作を示すフローチャートであるである。
【図４】この発明の実施の形態１による後席映像表示装置の動作と運転者の顔向きとの関係を示す概略図である。
【図５】この発明の実施の形態２による後席映像表示装置の構成を示すブロック図である。
【図６】この発明の実施の形態２による後席映像表示装置の動作を示すフローチャートである。
【図７】この発明の実施の形態２による後席映像表示装置の撮像装置の撮像範囲を示す概略図である。
【符号の説明】
【００４５】
１  本体部、２  ディスプレイ、３  駆動部（制御駆動部）、９  後方撮像部、１０  車両後退検出部、１１  撮像部、１２  制御部、１４  映像切替部、２７  映像処理部、２８  表示部、３０  記憶部、５０  加速度センサ部、１２１  演算部、１２２  メモリ、１２３  顔方向判定部、１２５  ディスプレイ方向判定部、２００  運転者。
【図１】
2010143328.tif 000003
【図２】
2010143328.tif 000004
【図３】
2010143328.tif 000005
【図４】
2010143328.tif 000006
【図５】
2010143328.tif 000007
【図６】
2010143328.tif 000008
【図７】
2010143328.tif 000009